(57)【要約】【課題】フィルタ濾材の変形や、破損を防止することのできるフィルタ濾材用梱包資材及びフィルタ濾材の梱包方法を提供することを課題とする。【解決手段】底面部２００と該底面部２００の外周縁部２０１全周から起立する周壁部２０１とからなる収容体２０を有する梱包箱２を備える梱包資材１であって、フィルタ濾材５を包装材４で包装することで構成される包装体６の収容体２０内での配置位置を固定する位置決部材３を備え、前記収容体２０は、内部に配置された包装体６と周壁部２０１との間に空間が形成されるように構成されることを特徴とする。【選択図】図３
2014084136.tif 000002
【特許請求の範囲】
【請求項１】
底面部と該底面部の外周縁部全周から起立する周壁部とからなる収容体を有する梱包箱を備える梱包資材であって、フィルタ濾材を包装材で包装することで構成される包装体の収容体内での配置位置を固定する位置決部材を備え、前記収容体は、内部に配置された包装体と周壁部との間に空間が形成されるように構成されることを特徴とするフィルタ濾材用梱包資材。
【請求項２】
前記位置決部材は、包装体に貼付される両面テープを備える請求項１に記載のフィルタ濾材用梱包資材。
【請求項３】
前記位置決部材は、両面テープによって包装体に取り付けられる載置板であって、外周縁部が包装体の外周縁部よりも大きい載置板を備える請求項２に記載のフィルタ濾材用梱包資材。
【請求項４】
底面部と該底面部の外周縁部全周から起立する周壁部とからなる収容体を有する梱包箱を備える梱包資材でフィルタ濾材を梱包するフィルタ濾材の梱包方法において、フィルタ濾材を包装材で包装して包装体とし、包装体に対して、収容体内での当該包装体の配置位置を固定する位置決部材を取り付け、包装体と収容体の周壁部との間に空間が形成されるようにして包装体を収容体内に配置し、位置決部材によって、包装体の収容体内での配置位置を固定することを特徴とするフィルタ濾材の梱包方法。
【請求項５】
前記位置決部材は、包装体に貼付される両面テープを備え、包装体に両面テープを貼付した後に、包装体と収容体の底面部との間に両面テープが介在するようにして包装体を収容体内に配置する請求項４に記載のフィルタ濾材の梱包方法。
【請求項６】
前記位置決部材は、包装体に貼付される両面テープと、両面テープによって包装体に取り付けられる載置板であって、外周縁部が包装体の外周縁部よりも大きい載置板とを備え、包装体に両面テープを貼付した後に、包装体と載置板との間に両面テープが介在するようにして、包装体を載置板に配置し、載置板が収容体の底面部側に位置するようにして包装体を収容体内に配置する請求項５に記載のフィルタ濾材の梱包方法。
【発明の詳細な説明】
【技術分野】
【０００１】
本発明は、フィルタ濾材を梱包するフィルタ濾材用梱包資材及びフィルタ濾材の梱包方法に関する。
【背景技術】
【０００２】
従来から、半導体や液晶を製造する工場や手術室等の施設には、清浄な空気を供給する設備（例えば、空気清浄機）が導入されている。このような設備には、空気中に含まれる粒子（例えば、塵埃や、花粉等）を取り除くフィルタ濾材が用いられており、フィルタ濾材を介して空気の給排気を行うことで、施設内に清浄な空気を供給できるようになっている。
【０００３】
フィルタ濾材には、空気中に含まれる粒子を捕集する多孔質層と、該多孔質層の少なくとも一方の面に貼合わされる基材層とを有する濾材原反に対してプリーツ加工（襞状に屈曲させる加工）を施すことで形成されているものがある。このようなフィルタ濾材は、強度が低く、外力が作用すると変形したり破損したりする虞がある。特に、運搬時においては、このような問題がより顕著になる。
【０００４】
そのため、フィルタ濾材を梱包する梱包資材として、フィルタ濾材の変形や、破損を防止する対策が講じられているものが種々提供されている。
【０００５】
このような梱包資材のうちの一つとして、底面部と該底面部の外周縁部全周から起立する周壁部とからなる収容体を有する梱包箱と、収容体内に配置したフィルタ濾材の周囲に配置される複数の緩衝材とを備えているものがある（例えば、特許文献１参照）。
【０００６】
この種の梱包資材では、フィルタ濾材と収容体の周壁部との間に緩衝材が配置されていることから、梱包箱が運搬に伴って揺れたり、傾いたりしてもフィルタ濾材が収容体の周壁部と接触することを防止でき、さらに、梱包箱に衝撃が加わっても緩衝材によって衝撃が和らげられるため、フィルタ濾材の変形や、破損を防止できるとされている。
【先行技術文献】
【特許文献】
【０００７】
【特許文献１】特開２００２−２４０８６１号公報
【発明の概要】
【発明が解決しようとする課題】
【０００８】
ところで、上述の梱包資材では、フィルタ濾材と収容体の周壁部との間に複数の緩衝材が配置されているため、梱包箱が揺れたり傾いたりすると緩衝材によってフィルタ濾材が収容体の周壁部に接触することは防止されるが、フィルタ濾材には、外力が作用することになる。
【０００９】
より具体的に説明すると、梱包箱が揺れたり傾いたりすると、フィルタ濾材は、収容体の周壁部に接近する方向に移動しようとする。このとき、緩衝材は、フィルタ濾材と収容体の周壁部とによって挟み込まれた状態になり、フィルタ濾材に対して収容体の周壁部から離間する方向に力を作用させる（フィルタ濾材を押し返す）。
【００１０】
このように、上述の梱包資材では、フィルタ濾材が梱包箱内で移動しようとすることがあるため、フィルタ濾材に緩衝材からの外力が作用し、フィルタ濾材が変形したり、破損したりする虞が依然として残っている。
【００１１】
そこで、本発明は、斯かる実情に鑑み、フィルタ濾材の変形や、破損を防止することのできるフィルタ濾材用梱包資材及びフィルタ濾材の梱包方法を提供することを課題とする。
【課題を解決するための手段】
【００１２】
本発明に係るフィルタ濾材用梱包資材は、底面部と該底面部の外周縁部全周から起立する周壁部とからなる収容体を有する梱包箱を備える梱包資材であって、フィルタ濾材を包装材で包装することで構成される包装体の収容体内での配置位置を固定する位置決部材を備え、収容体は、内部に配置された包装体と周壁部との間に空間が形成されるように構成されることを特徴とする。
【００１３】
上記構成のフィルタ濾材用梱包資材によれば、収容体は、内部に配置したフィルタ濾材と周壁部との間に空間が形成されるように構成されているため、収容体の周壁部に衝撃が加わったとしても、その衝撃が周壁部から包装体に伝わることを抑制できる。
【００１４】
また、梱包資材は、包装体の収容体内での配置位置を固定する位置決部材を備えているため、包装体が収容体内で梱包箱とは独立して移動しようとすることを防止できる。これにより、包装体と周壁部との間に空間が形成されている状態を維持することができ、梱包箱が揺れたり、傾いたりしても、フィルタ濾材に外力が作用することを防止できる。
【００１５】
この場合、位置決部材は、包装体に貼付される両面テープを備えるようにしてもよい。このようにすれば、包装体を収容体の底面部上に配置するとともに、包装体の収容体内での配置位置を固定できる。
【００１６】
この場合、位置決部材は、両面テープによって包装体に取り付けられる載置板であって、外周縁部が包装体の外周縁部よりも大きい載置板を備えるようにしてもよい。
【００１７】
このようにすれば、収容体内に配置された載置板は、外周縁部が包装体よりも外方に位置する状態になる。そのため、梱包箱が揺れたり、傾いたりしたときに、載置板の外周縁部が収容体の周壁部に接触することで、包装体が周壁部と接触することが防止される。
【００１８】
本発明に係るフィルタ濾材の梱包方法は、底面部と該底面部の外周縁部全周から起立する周壁部とからなる収容体を有する梱包箱を備える梱包資材でフィルタ濾材を梱包するフィルタ濾材の梱包方法において、フィルタ濾材を包装材で包装して包装体とし、包装体に対して、収容体内での当該包装体の配置位置を固定する位置決部材を取り付け、包装体と収容体の周壁部との間に空間が形成されるようにして包装体を収容体内に配置し、位置決部材によって、包装体の収容体内での配置位置を固定することを特徴とする。
【００１９】
上記構成のフィルタ濾材の梱包方法によれば、包装体と収容体の周壁部との間に空間が形成されるようにして包装体を収容体内に配置するため、収容体の周壁部に衝撃が加わったとしても、その衝撃が周壁部から包装体に伝わることを抑制できるようにして包装体を梱包できる。
【００２０】
また、上記構成のフィルタ濾材の梱包方法では、位置決部材によって、包装体の収容体内での配置位置を固定するため、包装体が収容体内で梱包箱とは独立して移動することを防止できる。これにより、包装体と周壁部との間に空間が形成されている状態を維持することができ、梱包箱が揺れたり、傾いたりしても、フィルタ濾材に外力が作用することを防止できるようにして包装体を梱包することができる。
【００２１】
この場合、位置決部材は、包装体に貼付される両面テープを備え、包装体に両面テープを貼付した後に、包装体と収容体の底面部との間に両面テープが介在するようにして包装体を収容体内に配置するようにしてもよい。このようにすれば、包装体を収容体の底面部上に配置するとともに、包装体の収容体内での配置位置を固定できる。
【００２２】
この場合、位置決部材は、包装体に貼付される両面テープと、両面テープによって包装体に取り付けられる載置板であって、外周縁部が包装体の外周縁部よりも大きい載置板とを備え、包装体に両面テープを貼付した後に、包装体と載置板との間に両面テープが介在するようにして、包装体を載置板に配置し、載置板が収容体の底面部側に位置するようにして包装体を収容体内に配置するようにしてもよい。
【００２３】
このようにすれば、収容体内に配置された載置板の外周縁部を包装体よりも外方に位置させることができる。そのため、梱包箱が揺れたり、傾いたりしたときに、載置板の外周縁部が収容体の周壁部に接触することで、包装体が周壁部と接触することが防止されるようにしてフィルタ濾材を梱包できる。
【発明の効果】
【００２４】
以上のように、本発明に係るフィルタ濾材用梱包資材及びフィルタ濾材の梱包方法によれば、フィルタ濾材の変形や、破損を防止することができるという優れた効果を奏し得る。
【図面の簡単な説明】
【００２５】
【図１】図１は、本発明の第一実施形態に係る梱包資材の斜視図である。
【図２】図２は、同実施形態に係る梱包資材が梱包の対象としているフィルタ濾材の斜視図である。
【図３】図３は、同実施形態に係る梱包資材の分解斜視図である。
【図４】図４は、同実施形態に係る梱包資材の平面図であって、包装体を収容体内に配置した状態の梱包資材の平面図である。
【図５】図５は、同実施形態に係る梱包資材を用いたフィルタ濾材の梱包方法の説明図であって、図５Ａは、包装材にフィルタ濾材を挿入している状態の説明図であり、図５Ｂは、包装体によってフィルタ濾材を包装した状態の説明図であり、図５Ｃは、包装体に両面テープを貼付した状態の説明図である。
【図６】図６は、同実施形態に係る梱包資材を用いたフィルタ濾材の梱包方法の説明図であって、図６Ａは、収容体内に包装体を配置した状態の説明図であり、図６Ｂは、収容体に蓋体を固定した状態の説明図である。
【図７】図７は、本発明の第二実施形態に係る梱包資材の斜視図である。
【図８】図８は、同実施形態に係る梱包資材の分解斜視図である。
【図９】図９は、同実施形態に係る梱包資材の平面図であって、包装体を収容体内に配置した状態の梱包資材の平面図である。
【図１０】図１０は、同実施形態に係る梱包資材を用いたフィルタ濾材の梱包方法の説明図であって、図１０Ａは、収容体内に包装体を配置した状態の説明図であり、図１０Ｂは、収容体に蓋体を固定した状態の説明図である。
【発明を実施するための形態】
【００２６】
以下、本発明の一実施形態に係るフィルタ濾材用梱包資材（以下、単に梱包資材とする）について添付図面を参照しつつ説明を行うこととする。
【００２７】
図１及び図３に示すように、梱包資材１は、底面部２００と該底面部２００の外周縁部全周から起立する周壁部２０１とからなる収容体２０を有する梱包箱２を備えている（図３参照）。そして、梱包資材１は、フィルタ濾材を包装材で包装することで構成される包装体６の収容体２０内での配置位置を固定する位置決部材３を備えている。
【００２８】
まず、梱包資材１が梱包対象とするフィルタ濾材について説明する。図２に示すように、フィルタ濾材５は、濾材原反が複数箇所で屈曲されて襞状に形成（以下、プリーツ加工とも記す）されている。そのため、フィルタ濾材５は、濾材原反を一方向に沿って屈曲させて形成された屈曲部５０と、該屈曲部５０以外の平板部５１（具体的には、屈曲部５０，５０間の平板状の部位）とを有している。
【００２９】
また、フィルタ濾材５は、平面視において、長方形状をなしており、屈曲部５０が延びる方向における寸法が５９０ｍｍとなり、平板部５１が並ぶ方向における寸法が６５０ｍｍとなるように形成されている。また、フィルタ濾材５は、高さ（平板部５１が並ぶ方向と屈曲部５０が延びる方向とに直行する方向における寸法）が３５ｍｍとなるように形成されている。
【００３０】
図３に示すように、梱包箱２は、収容体２０の周壁部２０１によって形成される開口を塞ぐ蓋体２１をさらに有する。
【００３１】
収容体２０の底面部２００は、平面視において、長方形状となるように構成されている。収容体２０の周壁部２０１のそれぞれは、底面部２００と繋がる基端部と、該基端部とは反対側の先端部とを有する。
【００３２】
そして、図４に示すように、収容体２０は、内部に配置した包装体６と周壁部２０１との間に空間が形成されるように構成されている。より具体的に説明すると、収容体２０は、底面部２００の短辺（図４において上下方向に延びている辺）が延びる方向（以下、短辺方向とする）における内寸が６２０ｍｍとなり、底面部２００の長辺（図４において左右方向に延びている辺）が延びる方向（以下、長辺方向とする）における内寸が６８０ｍｍとなり、短辺方向及び長辺方向のそれぞれに直交する方向（以下、高さ方向とする）における内寸が４０ｍｍとなるように形成されている。
【００３３】
すなわち、収容体２０は、短辺方向で並ぶ周壁部２０１，２０１同士の間隔が６２０ｍｍとなり、長辺方向で並ぶ周壁部２０１，２０１同士の間隔が６８０ｍｍとなり、周壁部２０１の高さ（底面部２００から周壁部２０１の先端部までの寸法）が４０ｍｍとなるように形成されている。
【００３４】
これにより、収容体２０は、内部に配置された包装体６と周壁部２０１との間に空間が形成されるように構成されている。すなわち、収容体２０は、内部に配置されたフィルタ濾材５と周壁部２０１との間に約１５ｍｍの隙間が形成されるようになっている。
【００３５】
図３に戻り、蓋体２１は、収容体２０の開口を覆う天板部２１０と該天板部２１０の外周縁部全周から垂下する垂下部２１１とを有する。
【００３６】
天板部２１０は、平面視長方形状をなしている。また、天板部２１０は、収容体２０の開口を覆っている状態において、外周縁部全周が周壁部２０１よりも外側に位置するようになっている。そのため、蓋体２１は、天板部２１０で収容体２０の開口を覆ったときに、垂下部２１１が周壁部２０１の外側に位置するようになっている。
【００３７】
位置決部材３は、包装体６に貼付される両面テープ３０を備えている。また、位置決部材３は、両面テープ３０を複数（本実施形態では、５枚）備えている。両面テープ３０は、平面視において、矩形状（本実施形態では、正方形状）をなすように形成されている。そして、両面テープ３０は、各辺の寸法が３０ｍｍとなるように形成されている。
【００３８】
図５Ａに示すように、包装材４は、袋状に形成されている。包装材４は、平面視において、矩形状（本実施形態では、正方形状）となるように形成されている。また、包装材４は、各辺の寸法が８００ｍｍとなり、厚みが５０μｍとなるように形成されている。そして、包装材４の一辺には、挿入口４０が形成されている。
【００３９】
本実施形態に係る梱包資材１は、以上の通りである。続いて、梱包資材１を用いたフィルタ濾材５の梱包方法について、添付図面を参照しつつ説明を行うこととする。
【００４０】
まず、図５Ａ及び図５Ｂに示すように、フィルタ濾材５を包装材４で包装して包装体６とする。より具体的に説明すると、図５Ａに示すように、フィルタ濾材５を挿入口４０から包装材４の内部に挿入する。そして、図５Ｂに示すように、フィルタ濾材５の外形に沿って包装材４を折り込んだ後に、折代４１を固定する。なお、折代４１は、粘着テープを貼付したり、接着材料を塗布したりすることで固定することができる。
【００４１】
さらに、図５Ｃに示すように、フィルタ濾材５を包装材４で包装した包装体６に対して、収容体２０内での当該包装体６の配置位置を固定する位置決部材３を取り付ける。より具体的に説明すると、包装体６の一面（本実施形態では、折代４１が固定されている面とは反対側の面）の角部のそれぞれと、中央部とに両面テープ３０を貼付する。
【００４２】
そして、図６Ａに示すように、包装体６と収容体２０の周壁部２０１との間に空間が形成されるようにして包装体６を収容体２０内に配置し（すなわち、包装体６を収容体２０の底面部２００と同心となるように配置し）、位置決部材３（両面テープ３０）によって、包装体６の収容体２０内での配置位置を固定する。さらに、図６Ｂに示すように、蓋体２１を収容体２０の上部に配置した後に、蓋体２１の各辺の略中央部と周壁部２０１とに亘って粘着テープＴを貼付することで、蓋体２１を収容体２０に固定する。これにより、フィルタ濾材５が梱包資材１によって梱包される。
【００４３】
以上のように、フィルタ濾材５の梱包資材１によれば、収容体２０は、内部に配置した包装体６と周壁部２０１との間に空間が形成されるように構成されているため、収容体２０の周壁部２０１に衝撃が加わったとしても、その衝撃が周壁部２０１から包装体６に伝わることを抑制できる。
【００４４】
また、梱包資材１は、包装体６の収容体２０内での配置位置を固定する位置決部材３を備えているため、包装体６が収容体２０内で梱包箱２とは独立して移動することを防止できる。これにより、包装体６と周壁部２０１との間に空間が形成されている状態を維持することができ、梱包箱２が揺れたり、傾いたりしても、包装体６に外力が作用することを防止できる。
【００４５】
従って、梱包資材１によれば、フィルタ濾材５の変形や、破損を防止することができるという優れた効果を奏し得る。
【００４６】
また、位置決部材３は、包装体６に貼付される両面テープ３０を備えているため、包装体６を収容体２０の底面部２００上に配置するとともに、包装体６の収容体２０内での配置位置を固定できる。
【００４７】
そして、フィルタ濾材５の梱包方法では、包装体６と収容体２０の周壁部２０１との間に空間が形成されるようにして、包装体６を収容体２０内に配置するため、収容体２０の周壁部２０１に衝撃が加わったとしても、その衝撃が周壁部２０１から包装体６に伝わることを抑制できるようにして包装体６を梱包することができる。
【００４８】
また、フィルタ濾材５の梱包方法では、位置決部材３によって、包装体６の収容体２０内での配置位置を固定するため、収容体２０内での包装体６の配置位置を固定できる。これにより、包装体６と周壁部２０１との間に空間が形成されている状態を維持することができ、梱包箱２が揺れたり、傾いたりしても、包装体６に外力が作用することを防止できるようにして包装体６を梱包することができる。
【００４９】
従って、梱包方法によれば、フィルタ濾材５の変形や、破損を防止することができるという優れた効果を奏し得る。
【００５０】
また、位置決部材３が包装体６に貼付される両面テープ３０を備え、包装体６に両面テープ３０を貼付した後に、包装体６と収容体２０の底面部２００との間に両面テープ３０が介在するようにして包装体６を収容体２０内に配置するようにしているため、包装体６を収容体２０の底面部２００上に配置するとともに、包装体６の収容体２０内での配置位置を固定できる。
【００５１】
本発明の第一実施形態に係る梱包資材１及び梱包方法についての説明は、以上の通りである。次に、本発明の第二実施形態に係る梱包資材について、添付図面を参照しつつ説明を行う。なお、第一実施形態に係る梱包資材１と同一の構成又は相当する構成については、同一の符号を付して説明を行うこととする。また、同一の構成又は相当する構成については、第一実施形態における説明を援用することがある。
【００５２】
図７に示すように、本実施形態に係る梱包資材１は、フィルタ濾材５を包装材４で包装することで構成される包装体６を複数（本実施形態では、四つ）収容できる梱包箱２を備えている。
【００５３】
梱包資材１は、上記第一実施形態に係る梱包資材１と同様に、濾材原反を一方向に沿って屈曲させて形成された屈曲部５０と、該屈曲部５０以外の平板部５１（具体的には、屈曲部５０,５０間の平板状の部位）とを有するフィルタ濾材５を梱包の対象としている。
【００５４】
図８に示すように、梱包資材１は、底面部２００と該底面部２００の外周縁部全周から起立する周壁部２０１とからなる収容体２０を有する梱包箱２を備える梱包資材１であって、フィルタ濾材を包装材で包装することで構成される包装体６の収容体２０内に配置された位置を固定する位置決部材３を備えている。
【００５５】
収容体２０は、後述する載置板３１上に固定された包装体６を複数配置できるようになっており、内部に配置された包装体６と周壁部２０１との間に空間が形成されるように構成されている。より具体的に説明すると、図９に示すように、底面部２００の短辺（図９において上下方向に延びている辺）が延びる方向（以下、短辺方向とする）における内寸が６１０ｍｍとなり、底面部２００の長辺（図９において左右方向に延びている辺）が延びる方向（以下、長辺方向とする）における内寸が６７０ｍｍとなり、短辺方向及び長辺方向のそれぞれに直交する方向（以下、高さ方向とする）における内寸が１６０ｍｍとなるように形成されている。
【００５６】
すなわち、収容体２０は、短辺方向で並ぶ周壁部２０１，２０１同士の間隔が６１０ｍｍとなり、長辺方向で並ぶ周壁部２０１，２０１同士の間隔が６７０ｍｍとなり、周壁部２０１の高さ（底面部２００から周壁部２０１の先端部までの寸法）が１６０ｍｍとなるように形成されている。
【００５７】
蓋体２１は、第一実施形態に係る蓋体２１と同様の構成である。
【００５８】
図８に戻り、位置決部材３は、第一実施形態と同様の両面テープ３０を複数（本実施形態では、５枚）備えている。さらに、位置決部材３は、位置決部材３は、両面テープ３０を介して包装体６に取り付けられる載置板３１であって、外周縁部が包装体６の外周縁部よりも大きい載置板３１を備えている。なお、上述のように、梱包箱２は、４つの包装体６を収容できるようになっているため、位置決部材３は、５枚一組の両面テープ３０を４組備え、さらに、載置板３１を４枚備えている。
【００５９】
上記第一実施形態において、特に言及しなかったが、梱包箱がフィルタ濾材を一つだけ収容できるようになっている場合であっても、第二実施形態に記載の載置板３１を備えるようにすることもできる。このようにする場合も第二実施形態と同様に、両面テープ３０によって包装体６を載置板３１上に固定すればよい。
【００６０】
図９に示すように、載置板３１は、平面視において、矩形状（本実施形態では、長方形状）となるように、形成されている。そして、載置板３１は、短辺（図９において、上下方向に延びている辺）の寸法が６００ｍｍとなり、長辺（図９において、左右方向に延びている辺）の寸法が６６０ｍｍとなり、厚みが５ｍｍとなるように形成されている。
【００６１】
包装材４は、第一実施形態に係る包装材４と同様の構成である。
【００６２】
本実施形態に係る梱包資材１は、以上の通りである。続いて、本実施形態に係る梱包資材１を用いたフィルタ濾材５の梱包方法について、添付図面を参照しつつ説明を行うこととする。
【００６３】
梱包方法では、第一実施形態と同様に、フィルタ濾材５を包装材４で包装することで包装体６とし、該包装体６に両面テープ３０を貼付する。そして、包装体６を載置板３１と同心となるように配置し、両面テープ３０によって包装体６を載置板３１上に固定する。
【００６４】
そして、載置板３１とともに、包装体６を収容体２０の内部に配置する。さらに、先に収容体２０の内部に配置した包装体６の上に、別の包装体６が固定されている載置板３１を配置する。これにより、図１０Ａに示すように、載置板３１と包装体６とが収容体２０内で交互に重なった状態になる。
【００６５】
さらに、図１０Ｂに示すように、蓋体２１を収容体２０の上部に配置した後に、蓋体２１の各辺の略中央部と周壁部２０１とに亘って粘着テープＴを貼付することで、蓋体２１を収容体２０に固定する。これにより、フィルタ濾材５が梱包資材１によって梱包される。
【００６６】
以上のように、フィルタ濾材５の梱包資材１によれば、収容体２０は、内部に配置した包装体６と周壁部２０１との間に空間が形成されるように構成されているため、収容体２０の周壁部２０１に衝撃が加わったとしても、その衝撃が周壁部２０１から包装体６に伝わることを抑制できる。
【００６７】
また、梱包資材１は、包装体６の収容体２０内での配置位置を固定する位置決部材３を備えているため、包装体６が収容体２０内で梱包箱２とは独立して移動することを防止できる。これにより、包装体６と周壁部２０１との間に空間が形成されている状態を維持することができ、梱包箱２が揺れたり、傾いたりしても、包装体６に外力が作用することを防止できる。
【００６８】
従って、梱包資材１によれば、フィルタ濾材５の変形や、破損を防止することができるという優れた効果を奏し得る。
【００６９】
また、位置決部材３は、両面テープ３０を介して包装体６に取り付けられる載置板３１であって、外周縁部が包装体６の外周縁部よりも大きい載置板３１を備えているため、載置板３１が両面テープ３０を介して包装体６に取り付けられると、自身の外周縁部が包装体６よりも外方に位置する状態になる。このような状態で、包装体６及び載置板３１が収容体２０内に配置されると、包装体６と収容体２０の周壁部２０１との間には、空間が形成される。そして、梱包箱２が揺れたり、傾いたりしたときに、載置板３１の外周縁部が収容体２０の周壁部２０１に接触することで、包装体６が周壁部２０１と接触することが防止される。
【００７０】
そして、フィルタ濾材５の梱包方法では、包装体６と収容体２０の周壁部２０１との間に空間が形成されるようにして、包装体６を収容体２０内に配置するため、収容体２０の周壁部２０１に衝撃が加わったとしても、その衝撃が周壁部２０１から包装体６に伝わることを抑制できるようにして包装体６を梱包することができる。
【００７１】
また、フィルタ濾材５の梱包方法では、位置決部材３によって、包装体６の収容体２０内での配置位置を固定するため、包装体６が収容体２０内で梱包箱２とは独立して移動することを防止できる。これにより、包装体６と周壁部２０１との間に空間が形成されている状態を維持することができ、梱包箱２が揺れたり、傾いたりしても、包装体６に外力が作用することを防止できるようにして包装体６を梱包することができる。
【００７２】
従って、梱包資材１によれば、フィルタ濾材５の変形や、破損を防止することができるという優れた効果を奏し得る。
【００７３】
また、位置決部材３は、包装体６に貼付される両面テープ３０と、両面テープ３０を介して包装体６に取り付けられる載置板３１であって、外周縁部が包装体６の外周縁部よりも大きい載置板３１とを備え、包装体６に両面テープ３０を貼付した後に、包装体６と載置板３１との間に両面テープ３０が介在するようにして、包装体６を載置板３１に配置し、載置板３１が収容体２０の底面部２００側に位置するようにして包装体６を収容体２０内に配置するようにしている。
【００７４】
そのため、収容体２０内に配置された載置板３１は、外周縁部が包装体６よりも外方に位置する状態になる。そのため、梱包箱２が揺れたり、傾いたりしたときに、載置板３１の外周縁部が収容体２０の周壁部２０１に接触することで、包装体６が周壁部２０１に接触することが防止されるようにしてフィルタ濾材５を梱包することができる。
【００７５】
従って、梱包方法によれば、フィルタ濾材５の変形や、破損を防止することができるという優れた効果を奏し得る。
【００７６】
尚、本発明に係る梱包資材及び梱包方法は、上記第一実施形態及び第二実施形態に限定されるものではなく、本発明の要旨を逸脱しない範囲において種々変更を行うことは勿論である。
【００７７】
上記第一実施形態及び第二実施形態において、包装材４は、袋状に形成されていたが、これに限定されるものではなく、例えば、シート状に形成されているものであってもよい。
【００７８】
また、上記第一実施形態及び第二実施形態では、折代４１を包装体６の両面テープ３０を貼付する面とは反対側の面に固定していたが、これに限定されるものではなく、例えば、折代４１を両面テープ３０を貼付する面と隣接する面に固定してもよい。
【００７９】
上記第一実施形態において、収容体２０は、内部に配置された包装体６と周壁部２０１との間に約１５ｍｍの隙間が形成されるようになっていたが、これに限定されるものではなく、例えば、少なくとも約１０ｍｍ程度（好ましくは、約２０ｍｍ程度）の隙間が形成されるようにすることもできる。
【００８０】
上記第一実施形態において、位置決部材３は、両面テープ３０を備えていたが、これに限定されるものではなく、例えば、面ファスナーを取り付けて包装体６を収容体２０の底面上に固定したり、接着材料を塗布することで包装体６を収容体２０の底面部２００上に固定したりすることもできる。
【００８１】
上記第一実施形態では、包装体６を収容体２０の底面部２００と同心となるように配置していたが、これに限定されるものではなく、例えば、収容体２０の周壁部２０１との間に空間を形成することができれば、収容体２０の底面部２００の中央部から位置ずれした場所に包装体６を配置してもよい。
【００８２】
上記第二実施形態において、収容体２０は、内部に配置された包装体６と周壁部２０１との間に約１０ｍｍの隙間が形成されるようになっていたが、これに限定されるものではなく、例えば、第一の実施形態と同様に、内部に配置された包装体６と周壁部２０１との間に１５ｍｍ程度の隙間が形成されるようにしたり、約２０ｍｍ程度の隙間が形成されるようにすることもできる。
【００８３】
上記第二実施形態において、位置決部材３は、両面テープ３０を備えていたが、これに限定されるものではなく、例えば、面ファスナーを取り付けて包装体６を載置板３１上に固定したり、接着材料を塗布することで包装体６を載置板３１上に固定したりすることもできる。
【００８４】
上記第二実施形態において、位置決部材３は、両面テープ３０を備えていたが、これに限定されるものではなく、例えば、面ファスナーを取り付けて包装体６を載置板３１上に固定したり、接着材料を塗布することで包装体６を載置板３１上に固定したりすることもできる。
【００８５】
上記第二実施形態では、包装体６を載置板３１と同心となるように配置していたが、これに限定されるものではなく、例えば、載置板３１の外周縁部を包装体６の外周縁部よりも外側に位置させることができれば、載置板３１の中央部から位置ずれした場所に包装体６を配置してもよい。
【実施例】
【００８６】
ここで、本発明者らは、上記第一実施形態及び第二実施形態に係る梱包資材１を作成し（実施例）、併せて、比較用の梱包資材を作成し（比較例）、それぞれの梱包資材でフィルタ濾材５を梱包した試験体に対して振動試験（ＪＩＳ  Ｚ０２３２に記載の方法に従った試験）を行った。
【００８７】
振動試験では、表１に記載の通り、３０分毎に周波数を６Ｈｚ，１８Ｈｚ，４０Ｈｚ，２００Ｈｚと変化させるとともに、ＰＳＤレベル（加速度パワースペクトル密度）をその周波数に応じた値に設定することで上下方向でのランダムな振動を発生させ、その振動を試験体に加える試験を行う。
【表１】
2014084136.tif 000003
【００８８】
<実施例１>
不織布及びＰＴＦＥ多孔質膜からなる３層構造であり、高さ３５ｍｍ、短辺方向における寸法が５９０ｍｍ、長辺方向における寸法が６５０ｍｍのフィルタ濾材５（ＨＥＰＡ濾材）５を厚さが５０μｍ、各辺の長さが８００ｍｍの包装材４（帯電防止ポリエチレン袋）内に挿入し、包装材４をフィルタ濾材５の外形に沿って折り込んだ後に、折代を包装用テープＴで固定することによって包装体６を作製した。さらに、包装体６の包装用テープを貼付している面とは反対側の面における各角部と中央部とのそれぞれに、各辺の長さが３０ｍｍの両面テープ３０（日東電工株式会社製、Ｎｏ５０００ＮＳ）を貼付した。そして、短辺方向での内寸が６２０ｍｍ、長辺方向での内寸が６８０ｍｍ、高さが４０ｍｍの収容体２０内にフィルタ濾材５を配置し、当該収容体２０に蓋体２１を固定することで試験体を作製した。
【００８９】
<比較例１>
収容体２０の短辺方向での内寸を６２０ｍｍ、長辺方向での内寸を６８０ｍｍ、高さを４０ｍｍとし、両面テープ３０を貼付していない包装体６を収容体２０内に配置したこと以外は、実施例１に従い試験体を作製した。
【００９０】
そして、実施例１と比較例１とに対して振動試験を行った。実施例１の試験体と比較例１の試験体のそれぞれに対する振動試験の結果を表２に示す。
なお、表２に記載のＳは、包装体６の両面テープ３０が貼付されている面の面積に対する両面テープ３０が貼付されている面積の割合（以下、固定面積比とする）であり、次式（１）によって算出した値である。
Ｓ＝（Ｓｔ／Ｓｆ）×１００…（１）
（ただし、Ｓ：固定面積比、Ｓｔ：両面テープ３０の総面積、Ｓｆ：包装体６の両面テープ３０が貼付されている面の面積とする。）
【表２】
2014084136.tif 000004
表２に記載の通り、包装体６と収容体２０との間に空間が形成され且つ収容体２０内での包装体６の配置位置を固定した実施例１では、フィルタ濾材５が変形しなかったが、収容体２０内での包装体６の配置位置を固定していなかった比較例１では、フィルタ濾材５に変形が生じた。従って、収容体２０での包装体６の配置位置を固定することが好ましいことがわかる。
【００９１】
<実施例２>
収容体２０の短辺方向での内寸を６００ｍｍ、長辺方向での内寸を６６０ｍｍ、高さを４０ｍｍとしたこと以外は、実施例１に従い試験体を作製した。
【００９２】
<実施例３>
両面テープ３０の各辺の長さを１０ｍｍとすること以外は、実施例１に従い試験体を作製した。
【００９３】
そして、実施例２と実施例３とに対して振動試験を行った。実施例２と実施例３とに対する振動試験の結果を表３に示す。
【表３】
2014084136.tif 000005
実施例２では、実施例１に比して収容体２０の内寸を小さくしたが、振動を加えてもフィルタ濾材５が変形しなかった。従って、包装体６と収容体２０との間隔は、５ｍｍ程度であってもフィルタ濾材５の変形を防止できることがわかる。そして、実施例３では、実施例１に比して包装体６の固定面積比（すなわち、包装体６と収容体２０との接着面積）を小さくしたが、実施例３においても、フィルタ濾材５が変形しなかった。従って、固定面積比が０，１３％程度であっても、フィルタ濾材５の変形を防止できることがわかる。
【００９４】
<実施例４>
収容体２０の短辺方向での内寸を６１０ｍｍ、長辺方向での内寸を６７０ｍｍ、高さを１６０ｍｍとし、厚さ５ｍｍ、短辺の寸法が６００ｍｍ、長辺の寸法が６６０ｍｍの載置板３１を段ボールで作製した。そして、実施例１に従い包装体６（寸法は実施例１と同じ）に両面テープ３０（寸法は実施例１と同じ）を貼付し、載置板３１上に固定した。このようにして、載置板３１上に包装体６を固定したものを４つ作製し、包装体６及び載置板３１を収容体２０内に重ねて配置し、当該収容体２０に蓋体２１を固定することで試験体を作製した。
【００９５】
そして、実施例４に対して振動試験を行った。実施例４に対する振動試験の結果を表３に示す。
【表４】
2014084136.tif 000006
実施例４は、両面テープ３０によって包装体６を収容体２０に直接的に固定していない点、載置板３１と包装体６とが交互に重なるように収容体２０内に配置されている点で実施例１〜３とは異なるが、実施例４においても、フィルタ濾材５には、変形が生じなかった。従って、載置板３１上に固定した包装体６を収容体２０内に配置しても、フィルタ濾材５の変形を防止できることがわかる。また、載置板３１と包装体６とが交互に重なるようにしても、収容体２０内での包装体６の配置位置を固定できれば、フィルタ濾材５の変形を防止できることがわかる。
【符号の説明】
【００９６】
１…梱包資材、２…梱包箱、３…位置決部材、４…包装材、５…フィルタ濾材、６…包装体、２０…収容体、２１…蓋体、３０…両面テープ、３１…載置板、４０…挿入口、４１…折代、５０…屈曲部、５１…平板部、２００…底面部、２０１…周壁部、２１０…天板部、２１１…垂下部、Ｔ…粘着テープ
【図１】
2014084136.tif 000007
【図２】
2014084136.tif 000008
【図３】
2014084136.tif 000009
【図４】
2014084136.tif 000010
【図５】
2014084136.tif 000011
【図６】
2014084136.tif 000012
【図７】
2014084136.tif 000013
【図８】
2014084136.tif 000014
【図９】
2014084136.tif 000015
【図１０】
2014084136.tif 000016